(57)【要約】      （修正有）【課題】テニスコートを使うときのみコートの周囲にネットを張り、使わないときにはコート面下にネットを含めて格納出来、ネットにより景観を損ねない装置を提供する。【解決手段】上下に伸縮可能な支柱３０とこの支柱３０にネット２，３，４，５を張りつけてテニスコート１の周囲にピットを掘り設置する。ピットは支柱３０と、ネット２，３，４，５も含めて格納出来て格納後はピット上面には蓋体が出来る。【選択図】図１ａ
2007000584.tif 000002
【特許請求の範囲】
【請求項１】
地下に掘ったピットと、そのピット内に立設された複数の支柱と、前記ピット内に収納されると共に、複数の支柱間に取り付けられたネットと、支柱を加圧流体と支柱内のワイヤーロープにより伸縮自在に制御する伸縮機構と、支柱を縮小させてピット内にネットを収納した状態で前記ピット上方開口部を閉塞する蓋体とを備えることを特徴とする伸縮可能なネット支柱装置。
【請求項２】
上記各支柱は複数の多段の筒体から構成され、筒体内部の最上部の筒体と最下部の筒体の間をワイヤーロープで接続し、ワイヤーロープは最下部の筒体から筒体外部に設けた巻き取りドラムに巻回され、当該ワイヤーロープが配設される巻き取りドラムから筒体の間は密閉された容器として構成されることを特徴とする請求項１記載の伸縮可能なネット支柱装置。
【請求項３】
上記伸縮機構は、加圧流体の流量調整とワイヤーロープの巻き取り又は繰り出しの各制御が可能なモーターが配置され、各支柱が均一に伸縮動作することを特徴とする請求項１又は２に記載の伸縮可能なネット支柱装置。
【請求項４】
上記蓋体は、支柱の伸縮状態に連動してピットの上面を開閉する開閉手段を備えることを特徴とする請求項１ないし３のいずれかに記載の伸縮可能なネット支柱装置。
【発明の詳細な説明】
【技術分野】
【０００１】本発明は、テニスコートの周囲や、コート間の仕切などにつかえる上下に伸縮するネット支柱装置に関し、通常はコート面の下に格納し、テニスをするときに自立させる収納タイプのネット支柱装置に関する。
【背景技術】
【０００２】特許文献１は、地上に立設されている複数の支柱とこの支柱間に取り付けられたネットと、支柱に接続された圧力調整装置とを備えていて圧力調整装置により加圧流体が充填され膨張してなるネットフェンスが開示される。支柱内の圧力調整により支柱を伸縮出来、強風時等はこのフェンス全体を地面に下げられることを特徴としている。【０００３】特許文献２は、鉛直に配置されたはめ込み式の複数の筒体と、その筒体を貫通して上部の筒体に取り付けられたコイルバネにより複数の筒体が伸縮され、さらに各筒体内には中心の孔をコイルバネが貫通し隣接のものと互いに連結された可摺動の保持環体の間に取り付けられた筒状のネットと、このネットと軸線方向に間隔を置いて取り付けられた複数のリングからなり、リングの中心をコイルバネが通ることを特徴とする。【０００４】特許文献３は、複数の中空管を勘合継続した支柱の管内に内蔵される伸縮機構が、一方の内管に設けたナット部に他方の外管内部に設けたボルト回転機構のボルトを勘合し、回転機構のボルトを傘車を介して回転させることによって管を昇降させることを特徴とする。【特許文献１】特開平６−３１７０４７
【特許文献２】実開平５−１９４６１
【特許文献３】特開平９−２７６−４６０
【発明の開示】
【発明が解決しょうとする課題】
【０００５】  前記各特許文献１ないし３は、地上から支柱を伸縮させ、この支柱間にネットを取付ける構成であるが、いずれも収縮時において収縮した支柱及びネットが地上に露出することとなり、収納時における美観ないし景観を損ねるという課題を有していた。また、収納した支柱及びネットが地上に露出していることから、この支柱及びネットが配設される地上をグラウンドとしての他の用途に使用することができず、利用勝手を悪化させるという課題を有していた。  特に、特許文献１における支柱の伸縮機構は、圧力調整装置により支柱内の加圧流体の注入を均一に実行することができず、複数の支柱の伸長が区々となり全体を統一的に伸長させて起立状態とできないという課題を有していた。  また、特許文献１における支柱の伸縮機構は、コイルばねの駆動により複数の筒体からなる支柱を伸縮させる構成を採っていたことから、ばねの強度により伸縮の程度が一定せず、特に複数の支柱を同時に伸縮させる場合に区々な伸縮状態となるという課題を有していた。  さらに、特許文献２における支柱の伸縮機構は、中空管に内蔵されたボルト回転機構の回転により複数の中空管を順次延出させて支柱の伸縮を行う構成であることから、伸縮動作に長時間を要し、迅速且つ正確な伸縮動作ができないという課題を有する。  本発明は前記課題を解消するためになされたもので、支柱を迅速且つ正確に伸縮できると共に複数の支柱を同時且つ均一に伸縮でき、ネット吊設時にのみ地上へ支柱を伸張させ、ネット不使用時に地下へ支柱及びネットを総て収納できるネット支柱装置を提供することを目的とする。
【課題を解決するための手段】
【０００６】  本発明に係るネット支柱装置は、地下に掘ったピットと、そのピット内に立設された複数の支柱と、前記ピット内に収納されると共に、複数の支柱間に取り付けられたネットと、支柱を加圧流体と支柱内のワイヤーロープにより伸縮自在に制御する伸縮機構と、支柱を縮小させてピット内にネットを収納した状態で前記ピット上方開口部を閉塞する蓋体とを備えるものである。  また、本発明に係るネット支柱装置は必要に応じて、上記各支柱は複数の多段の筒体から構成され、筒体内部の最上部の筒体と最下部の筒体の間をワイヤーロープで接続し、ワイヤーロープは最下部の筒体から筒体外部に設けた巻き取りドラムに巻回され、当該ワイヤーロープが配設される巻き取りドラムから筒体の間は密閉された容器として構成されるものである。  また、本発明に係るネット支柱装置は必要に応じて、上記伸縮機構は、加圧流体の流量調整とワイヤーロープの巻き取り又は繰り出しの各制御が可能なモーターが配置され、各支柱が均一に伸縮動作するものである。  また、本発明に係るネット支柱装置は必要に応じて、上記蓋体は、支柱の伸縮状態に連動してピットの上面を開閉する開閉手段を備えるものである。
【発明の効果】
【０００７】  本発明においては、地下に形成されたピットに伸縮する支柱とネットを収納し、伸縮機構により支柱の伸縮を制御すると共に、支柱及びネットの収納時にピットの開口部分を蓋体で閉塞するようにしているので、支柱を迅速且つ正確に伸縮できると共に複数の支柱を同時且つ均一に伸縮でき、ネット吊設時にのみ地上へ支柱を伸張させ、ネット不使用時に地下へ支柱及びネットを総て収納できることとなり、ネット支柱設置を円滑に実施できると共に、ネットが配設されるグラウンドの美観及び景観を向上させ、且つグラウンドの多目的な使用が可能となり利用勝手を向上できる効果を奏する。
【０００８】  また、本発明においては、多段の筒体で構成される支柱の最上部筒体と最下部筒体とをワイヤーロープで接続すると共に、この最下部筒体から外部の巻き取りドラムへ前記ワイヤーロープを巻回し、この巻き取りドラム及び筒体の各内部を密閉の容器として構成しているので、この密閉容器への加圧流体の調整及びワイヤーロープの繰り出しのバランスにより支柱を伸長制御すると共に、ワイヤーロープの巻き取りで支柱を伸縮制御できることとなり、各支柱の伸縮を均一且つ円滑に行って支柱を迅速且つ正確に伸縮できると共に複数の支柱を同時且つ均一に伸縮でき、ネット吊設時にのみ地上へ支柱を伸張させ、ネット不使用時に地下へ支柱及びネットを総て収納できるという効果を有する。
【０００９】  また、本発明においては、加工流体の流量調整とワイヤーロープの巻き取り又は繰り出し制御を伸縮機構のモータで実行するようにしているので、各支柱の伸縮動作を均一に行うことができるという効果を有する。
【００１０】  また、本発明においては、支柱の伸縮状態に連動してピット上面を蓋体により開閉する制御を開閉手段で行うようにしているので、支柱の収納時に確実にピット上面を蓋体で閉塞できることとなり、支柱を迅速且つ正確に伸縮できると共に複数の支柱を同時且つ均一に伸縮でき、ネット吊設時にのみ地上へ支柱を伸張させ、ネット不使用時に地下へ支柱及びネットを総て収納できるという効果を有する。
【発明を実施するための最良の形態】
【００１１】  以下本発明の一実施形態に係るネット支柱装置を図１ないし図６に基づいて説明する。前記各図において本実施形態に係るネット支柱装置は、地下に掘ったピット６，７と、そのピット６，７内に立設された複数の支柱３０と、前記ピット６，７内に収納されると共に、複数の支柱３０間に取り付けられたネット２、３、４、５と、支柱３０を加圧流体と支柱３０内のワイヤーロープ３２により伸縮自在に制御する伸縮機構１００と、支柱３０を縮小させてピット６，７内にネット２、３、４、５を収納した状態で前記ピット６，７上方開口部を閉塞する蓋体６０とを備える構成である。【００１２】図１は、本発明に係る第一の実施例を示した図であり、図１ａは、テニスコート１の周囲に支柱３０を伸長して立設しネット２が張られた状態の斜視図である。図１ｂは、支柱３０を収縮してコート１の面下にネット２も格納した状態の斜視図である。図２は、支柱３０のピットに取り付けた状態の詳細を示した図であり、図２ａは、支柱３０を地下ピット６に立設された状態の斜視図である。図２ｂは、支柱３０とネット３．４がピット６．７に格納されて、ピット６・７の上面にカバー６０で覆われた状態の斜視図である。ネットは、コート面の四周に対して、４面に区切られている。図は４面を個々にに分割できる配置にしたため、ネット２．４は、コート１の長辺方向に配設され、ネット３．５は短辺方向に配設される。このため、ネット２の４隅は、支柱３０が２本併設される。ネット２と支柱３０の結合は、図３に示す収縮可能な複数の多段の筒体３１のガイドになる環体部３１ａ、３１ｂ、３１ｃ、３１ｄの４ヶ所をネット２〜５の編み目と結んで結合する。なお、支柱３０の四隅の配置を１本にして４面のネットの伸縮を全て連動作動させても、３面を連動させるようにしてもなんら支障はない。【００１３】図３は支柱３０の詳細を示し、図３ａは、支柱３０が伸長した状態を示し、図３ｂは、支柱３０が圧縮した状態を示す。また、図４は支柱３０のエァー配管の回路図を示す。支柱３０は収縮可能な複数の多段の筒体３１で構成されていて、個々の筒体３１のガイドとなる環体部３１ａ、３１ｂ、３１ｃ、３１ｄの内径部には摺動部の軸受けとエァを封止するシールが設けられている（図示せず）。筒体３１の上部３１ａの天板内側にはワイヤーロープ３２の一端が取り付けられていて、ワイヤーロープ３２は最下部の筒体３１から、筒体３１の外部に併設した配管３３の内部を通過して地面付近まで立ち上がりホース３４の中を通り、圧力容器３８の中に設置されている巻き取りドラム３５に係留されている。圧力容器３８の中の巻き取りドラム３５の軸の両端にはシール３９が設けられていて加圧気体が洩れるのを防止している。軸の片端にはウオームギャー３７を介してモーター３６に繋がり巻き取りドラム３５を回転制御してワイヤーロープ３２の作動を制御している。【００１４】支柱３０を伸長するときは、コンプレッサー４０からの圧縮空気（エア）を、切り換えバルブ４２を開放することにより切り換えバルブ４３を閉じて筒体３１に導入する。筒体３１にエァが入っていくと筒体が伸長しだすが、各支柱３０の伸び出す程度が区々になりネットが引っ張られたりしないように���伸長速度をコントロールするワイヤー３２が巻き取りドラム３５から繰り出されるが、モーター３６の回転で制御しながら繰り出されるため、筒体３１の伸長はコントロールされて各々均一に伸び出す。このため、圧縮性のあるエァを筒体３１の伸長に使用しても支柱３０間の伸び出る速度は、コントロールされ支柱３０に張られたネット２、３、４、５が引っ張られて破損などの支障が発生しないようにする。最伸長に伸びきった支柱３０は、万一エァが抜けても自重で支柱３０が落下しないように、安全装置としてボールプランジャのようなメカ式のストッパが筒体のガイドの環体部３１ａ、３１ｂ、３１ｃ、３１ｄの内径部には設けてある。（図示せず）【００１５】次に、支柱３０を圧縮するときは、切り換えバルブ４２を閉じて、切り換えバルブ４３を開けて、モーター３６を回転させて巻き取りドラム３５を廻してワイヤーロープ３２を巻き取る。ワイヤーロープ３２の巻き取りよりも筒体３１の中のエァの放出による低下が早いと筒体３１の自重で落下圧縮してしまい、ネット２、３、４、５のピット７への格納が区々となるためにスロットルバルブ４４の調整で筒体３１の圧縮速度をコントロールしながら圧縮する。【００１６】エァを支柱３０の伸縮駆動源として使うため、筒体３１の内部にはドレン（ｄｒａｉｎ）が溜まることが想定される。このため、ドレン抜きは配管４５の先端に配設されたニードル４６の開放を適時行うことでドレン溜まりによる支障の発生がないようにしてある。筒体３１やワイヤーロープ３２は、ＳＵＳ材を使い発錆のしずらいものとする。【００１７】図５は地面下に設けるピット６．７の上面を覆うカバー６０を示す。図５ａは、筒体３１がピット６から伸長するときのカバー６０が開いた状態の斜視図である。図５ｂは、筒体３１が最伸び状態にセットされた後でカバー６０を閉じた状態の斜視図である。図５ｃは、筒体３１が伸びた状態でカバー６０を閉じた状態の筒体３１部のＡ−Ａ矢視の断面図である。図５ｄは筒体３１を圧縮してピット６内に格納された状態のＡ−Ａ矢視の断面図である。筒体３１を伸長するときは、ピット７の左右に設けられた観音開きの蓋体６１、６２をピット６内に設けたモーター６６の回転でＣ方向に開く。蓋体６１、６２が開くことで、格納したネット２、３、４、５は筒体３１の上昇に伴い引き上がるときに邪魔にならないが、蓋体６１、６２の回転軸にかみ合うモーター６６の回転軸先端のギャー６７はネットが引っかからないようにカバー等で覆われている必要が有る。【００１８】次に、筒体３１が最伸び状態になった後はピット６、７の開口部にボールなどが落ち込まないようにモーター６６の回転でｄ方向に閉じる。筒体３１の部分は閉じられないために、蓋体６１、６２の一部を切欠いて副蓋体６３、６４が蓋体６１．６２に設けてある。副蓋体６３、６４は筒体３１と蓋体６１、６２の隙間を埋め、テニスコートを使用中にボールがピットに落ち込まないためと、支柱を格納してピットに蓋体６１、６２で塞いだときに、コートの砂や、枯葉、ゴミ等が進入しないようするもで、金属板の蓋体の外周部にはゴム板の様なものを使って隙間が完全に塞がれるようにする。
【実施例２】
【００１９】図６は第二の実施例を示した図であり、テニスコート１が隣接して配設される場合に支柱３０の長さは短いもので良い。その他の構成については、上述した実施例１と同様であるため、説明を省略する。  このように、本発明においては、ネット２、３、４、５を支える支柱３０が多段式の筒体３１にして地中に格納することで、ピット６、７の深さも浅くなるようにし、支柱３０間に張るネット２、３、４、５も格納時にはピット６、７に一緒に納められる。さらに、格納したピット６、７にコート２、３、４、５の砂や、枯葉、ゴミ等が進入しないようにネット２、３、４、５を格納後にはピット６、７の上面には蓋体６１、６２が被さる構造となっている。【００２０】  支柱３０の圧縮動作時の加圧流体としては空気などを使い、加圧することで支柱３０を伸長させ、支柱３０を圧縮するときには空気を放出する。空気を使うことで空気の圧縮性により各支柱３０間の伸縮動作が一定しないことがあり得るが、その時には支柱３０間に張ったネット２、３、４、５が引っ張られる状態になるため、支柱３０内部にワイヤーロープ３２を通して、ワイヤロープ３２端を支柱３０の先端と結合させ、ワイヤロープ３２の他端を電動モータ３６に付けられた巻き取りドラム３５に取り付ける。【００２１】  空気を放出して支柱３０を下げてピット６、７内に格納する時には、空気の流量調整バルブの調整で空気の圧力を保持して支柱自重とバランスさせながらモーター３６を回転させて、ワイヤロープ３２をシーブで巻き取り支柱３０を下げてピット６、７内に格納することで支柱３０の自然落下の防止を図る。支柱３０がピット６に格納されると一緒に支柱３０に取り付いているネット２、３、４、５もネット用のピット７に格納される。支柱３０、ネット２、３、４、５がピット６、７に格納後、ピット６、７の上面には観音開きの蓋体６１、６２が被さりピット６、７の開口部を塞ぐ。【００２２】  以上説明したように本発明は、収縮する支柱３０とネット２、３、４、５を地表面の下に格納することが可能なため、別荘などに有るテニスコート１ではネット２、３、４、５により景観を損ねることも無く、また、隣接するテニスコート１の場合には、隣のテニスコート１からのボールの飛び込みによるゲームの中断などの防止も期待出来る。また、用途としてはテニスコート１に限らず、時間により通路巾の規制などをする物などへの応用も可能である。
【図面の簡単な説明】
【００１９】
【図１】本発明に係る実施例１に係る上下に収縮するネットのテニスコートの周囲に設置した斜視図である。
【図２】本発明に係わる、支柱とネットとピットおよび蓋体の設置した斜視図である。
【図３】本発明に係わる支柱の詳細図である。
【図４】本発明に係わる支柱の回路図である。
【図５】本発明に係わる支柱とネットとピットと蓋体の詳細図である。
【図６】本発明に係る実施例２のコートが隣接して居る場合に設置した斜視図である。
【符号の説明】
【００２０】１      テニスコート２、３、４、５  ネット６、７  ピット３０    支柱３１    筒体３１ａ、３１ｂ、３１ｃ、３１ｄ    環体部３２    ワイヤーロープ３３    配管３４    ホース３５    巻き取りドラム３６、６６    モーター３７、６７    ウオームギャー３８    圧力容器４０    コンプレッサー４１    レギュレータバルブ４２、４３  切り換えバルブ４４    スロットルバルブ４５    配管４６    ニードル４８    リリーフバルブ５０    制御盤６０    カバー６１、６２  蓋体６３、６４  副蓋体１００  伸縮機構
【図１ａ】
2007000584.tif 000003
【図１ｂ】
2007000584.tif 000004
【図２ａ】
2007000584.tif 000005
【図２ｂ】
2007000584.tif 000006
【図３ａ】
2007000584.tif 000007
【図３ｂ】
2007000584.tif 000008
【図４】
2007000584.tif 000009
【図５】
2007000584.tif 000010
【図６ａ】
2007000584.tif 000011
【図６ｂ】
2007000584.tif 000012